(57)【要約】【課題】ケーブル接続される装置同士の接続部をケーブルごと一体的に覆うことにより、各装置への不正アクセスを阻止可能な遊技機を提供する。【解決手段】遊技機１は、表カバー１２１で覆われた中継基板１２１を有する中継基板ユニット１２と、中継基板ユニット１２とケーブル１２４を介して電気的に接続される電源基板ユニット１１と、を備え、表カバー１２１は、ケーブル１２４と、ケーブルと接続される基板側コネクタ１２２１と、ケーブル１２４と接続されるユニット側コネクタ１１１とを、一続きの内部空間に収めながら外部から操作不能に覆う連続覆い部１２ａを備える構成としてある。【選択図】図４
2014004102.tif 000002
【特許請求の範囲】
【請求項１】
所定のカバーで覆われた基板を有する第一装置と、前記第一装置と所定のケーブルを介して電気的に接続される第二装置と、を備える遊技機であって、
前記カバーは、
前記ケーブルと、前記ケーブルと接続される前記第一装置側接続部と、前記ケーブルと接続される前記第二装置側接続部とを、一続きの内部空間に収めながら外部から操作不能に覆う連続覆い部を備える
ことを特徴とする遊技機。
【請求項２】
所定のカバーで覆われた基板を有する第一装置と、前記第一装置と所定のケーブルを介して電気的に接続される第二装置と、を備える遊技機であって、
前記カバーは、
前記ケーブルと、前記ケーブルと接続される前記第一装置側接続部と、前記ケーブルと接続される前記第二装置側接続部とを、一続きの内部空間に収めながら外部から操作不能に覆う連続覆い部を備え、
前記第一装置と前記第二装置は、
前記第一装置側接続部と前記第二装置側接続部とが接近するように並設され、
前記第二装置と前記連続覆い部の間は、所定の工具が前記第二装置側接続部にアクセス不能に当接又は近接する
ことを特徴とする遊技機。
【請求項３】
前記連続覆い部は、
前記第二装置側接続部を囲む囲い部を有するとともに、前記第一装置側接続部と前記第二装置側接続部とを連通可能に開口された開口部を備える
ことを特徴とする請求項１又は２記載の遊技機。
【請求項４】
前記カバーは、
一対の凹部と凸部との凹凸嵌合により前記第一装置に取り付けられ、
前記凸部は、
前記基板面にほぼ直交する方向に向かって傾斜する第一傾斜面と、前記基板面に平行な方向に向かって傾斜する第二傾斜面とを有し、
前記第一傾斜面の形成された方向から作用する外力により前記カバーを取り付け可能とし、
前記第二傾斜面の形成された方向から作用する外力により前記カバーを取り外し可能とした
ことを特徴とする請求項１〜３のいずれか一項に記載の遊技機。
【請求項５】
前記第一装置は、前記カバーで覆われた所定の基板を有する基板ユニットであり、
前記第二装置は、前記基板ユニットと所定のケーブルを介して電気的に接続されるとともに前記基板ユニットの近傍であって下方側に配置され、電源の生成を行う電源基板を有する電源基板ユニットであり、
前記基板ユニットと前記電源基板ユニットは、正面側開口を扉体で覆う筐体内に配置され、
前記電源基板ユニットは、その上方側に前記第二装置側接続部を有し、
前記基板ユニットは、前記電源基板ユニットの上方に配置されるとともに、その下方側に前記第一装置側接続部を有し、
前記連続覆い部は、
前記ケーブルと、前記第一装置側接続部と、前記第二装置側接続部と、を一続きの内部空間に収めながら外部から操作不能に覆う
ことを特徴とする請求項１〜４のいずれか一項に記載の遊技機。
【発明の詳細な説明】
【技術分野】
【０００１】
本発明は、所定のカバーで覆われた基板を有する一の装置と、この装置と所定のケーブルを介して電気的に接続されるその他の装置と、を備える遊技機に関し、一のカバーで複数の装置の接続部を外部から操作不能に覆う遊技機に関する。
【背景技術】
【０００２】
スロットマシンやパチンコ機等の遊技機には、電気回路を構成する複数の基板が配置され、それぞれの基板が少なくとも一つの機能を発揮する装置として動作する。また、これらの複数の基板同士が電気信号を伝送するためのケーブルで接続され、相互に連動しながらそれぞれの機能を発揮することにより、遊技機としての動作が実現されるようになっている。
このような基板は、それぞれの動作によって遊技の進行が左右されることから、不正に出玉が得られるように改造されることがあった。そのため、各基板は、通常、不正改造されないように、カバー等で覆われている。
【０００３】
しかしながら、各基板をまるごとカバーで覆うようにしても、各基板同士はケーブルで接続されていることから、各基板とケーブルとの接続部は、外部に露出せざるを得なかった。
そこで、接続部を箱形カバーで覆う技術が提案されている（例えば、特許文献１）。
このカバーは、接続部となるコネクタを覆うことで、コネクタの脱抜を阻止するように構成されている。
【０００４】
ところで、このような基板を有する装置は、一つの機能のみならず複数の機能を有するものもある。
例えば、スロットマシンにおける電源基板ユニット（電源装置）では、各基板に供給する電源を生成するだけではなく、ボーナスなどの当りに当選する当選確率を操作によって変更する機能、いわゆる設定確率変更機能や、メダルを払い出すメダル払出装置を制御する機能など備えている（例えば、特許文献２）。
【先行技術文献】
【特許文献】
【０００５】
【特許文献１】特開２００９−１２５０８５号公報
【特許文献２】特開２００５−１６８９５０号公報
【発明の概要】
【発明が解決しようとする課題】
【０００６】
ところが、電源基板ユニットのような多機能装置は、一つの装置に複数の機能が集中していることから、不正改造の標的となり易いという傾向がある。
そこで、不正改造をしづらくするには、一つの装置に集中していた機能を、複数の装置に分散させることが効果的である。
この場合、複数の装置間において信号を伝送する必要があるので、装置間をケーブルで接続しなければならないが、このケーブルを長くすると、このケーブルに不正装置を装着される可能性が拡大するので、少しでもケーブルを短くするために、装置同士がなるべく接近するようにコンパクトにまとめて配置することが好ましいことになる。
また、複数の装置をコンパクトにまとめて配置するにしても、無造作に配置するのではなく、不正しづらいように配置する必要がある。
【０００７】
さらに、装置が増えるほど、各装置とケーブルとの接続部も増加することから、各接続部が不正改造の標的とならないように保護する必要がある。
そこで、特許文献１に記載のカバーの適用を試みようとしても、接続部の脱抜を防止しながら、接続部自体の露出は解消されるものの、接続部の周辺やケーブルは依然として露出状態のままであることから、ケーブルに不正装置を取り付ける行為や、接続部の周辺をピン等によりショートさせ擬似的な信号を発生させる行為等を阻止することができなかった。
【０００８】
本発明は、このような問題を解決するためになされたもので、ケーブル接続される複数の装置を近接させて配置する場合において、一の装置の設けられたカバーにより、ケーブルとの接続部のみならず、ケーブルをも一体的に覆うことで、各装置への不正アクセスを阻止するとともに、一の装置に集中していた複数の機能を近接して配置される複数の装置に分散させるにあたり、遊技機に取り付けられた状態での各装置の配置関係、及び各装置における接続部の位置を最適な位置に調整することにより、不正アクセスを困難にする遊技機の提供を目的とする。
【課題を解決するための手段】
【０００９】
上記目的を達成するため、本発明の遊技機は、所定のカバーで覆われた基板を有する第一装置と、前記第一装置と所定のケーブルを介して電気的に接続される第二装置と、を備える遊技機であって、前記カバーは、前記ケーブルと、前記ケーブルと接続される前記第一装置側接続部と、前記ケーブルと接続される前記第二装置側接続部とを、一続きの内部空間に収めながら外部から操作不能に覆う連続覆い部を備える構成としてある。
【発明の効果】
【００１０】
本発明の遊技機によれば、一方の装置に設けられた連続覆い部により、ケーブル接続される装置同士の接続部がケーブルごと一体的に覆われることになるので、各装置への不正アクセスを効果的に阻止することができる。
【図面の簡単な説明】
【００１１】
【図１】本発明の一実施形態に係るスロットマシンの正面図である。
【図２】本発明の一実施形態に係るスロットマシンの内部構成を示す斜視図である。
【図３】本発明の一実施形態に係るスロットマシンの制御構成を示すブロック図である。
【図４】本発明の一実施形態に係る電源基板ユニットと中継基板ユニットの斜視図であり、（ａ）は、表カバーを取り付けた状態を示す図であり、（ａ）は、表カバーを取り外した状態を示す図である。
【図５】本発明の一実施形態に係る中継基板ユニットの斜視図である。
【図６】本発明の一実施形態に係る中継基板ユニットの分解斜視図である。
【図７】本発明の一実施形態に係る中継基板ユニットの五面図であり、（ａ）は、左側面図、（ｂ）は、正面図、（ｃ）は、右側面図、（ｄ）は、平面図、（ｅ）は、底面図である。
【図８】本発明の一実施形態に係る中継基板ユニットの表カバーを裏面側から見た斜視図である。
【図９】本発明の一実施形態に係る中継基板ユニットの図であり、（ａ）は、正面図、（ｂ）は、Ａ−Ａ断面図、（ｃ）は、Ｂ−Ｂ断面図である。
【発明を実施するための形態】
【００１２】
以下、本発明の遊技機について、各図を参照して説明する。
遊技機には、パチンコ機、スロットマシン、アレンジボール、雀球など様々な機類があるが、本実施形態では、メダルを遊技媒体とするスロットマシンに、本発明を適用した場合について説明する。
【００１３】
[スロットマシン]
図１、図２に示すように、本実施形態のスロットマシン１は、複数のリール４１ａ，４１ｂ，４１ｃを回転させることによって遊技媒体（メダル）を獲得することができる回胴式遊技機として構成されており、一の装置に集中していた複数の機能を近接して配置される複数の装置に分散させるにあたり、スロットマシン１に取り付けられた状態での各装置の配置関係、及び各装置における接続部の位置を最適な位置に調整することにより、不正アクセスを困難にするとともに、一の装置に設けられた連続覆い部により、各装置におけるケーブルとの接続部のみならずケーブルをも一体的に覆うことで、各装置への不正アクセスを阻止するようになっている。
以下、このような構成を有するスロットマシン１について詳述する。
【００１４】
スロットマシン１は、図１、図２に示すように、正面側が開口した筐体１ｂと、筐体１ｂの正面側を覆う前扉１ａとで構成され、内部には、コンピュータとして構成された副基板ユニット９、主基板ユニット１０、及びその他必要な機械，装置等が収納されている。
【００１５】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１６】
例えば、操作手段として、メダルを投入するメダル投入口２と、内部的にクレジットされたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
【００１７】
さらに、前扉１ａには、各リール４１ａ，４１ｂ，４１ｃに表示された図柄を視認可能とする表示窓６が、各操作手段の上側に設けられている。
また、前扉１ａの下部には、音声、効果音などの音を出力するスピーカ８が設けられている。
前扉１ａの裏面側上部には、副基板ユニット９が設けられている。
副基板ユニット９は、サブＣＰＵ（中央演算処理装置）、サブＲＡＭ，サブＲＯＭなどの記憶手段、音声制御回路、ランプ制御回路等の搭載された副基板と、これを収容する基板カバーなどから構成され、主基板ユニット１０からの指令により、スピーカ８、図示しない電飾ランプなどの演出手段を制御して光による演出及び音響演出を行うようになっている。
【００１８】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられている。
また、筐体１ｂの下部には、メダル払出装置７と電源基板ユニット１１が設けられている。
メダル払出装置７は、主基板ユニット１０からの制御信号に基づいてホッパー７ａに貯留したメダルの払い出しを行う。なお、メダル投入口２より投入されたメダルは、メダルセレクタ２ｂにより検出されるとともに、ホッパー７ａに誘導されるようになっている。
電源基板ユニット１１は、機外から供給される商用電力に基づいて電源を生成し、スロットマシン１内の各部に供給する。
【００１９】
また、筐体１ｂの上部には、メインＲＡＭ，メインＲＯＭなどの記憶手段が内蔵されたワンチップマイコンからなるＣＰＵ（中央演算処理装置）、サブ制御部９を含む上記各種装置とのデータ等の送受を行うインターフェイス回路などが搭載された主基板と、これを収容する基板カバーなどから構成された主基板ユニット１０が設けられている。
主基板ユニット１０は、上記の各操作手段からの信号に基づき、ドラムユニット４、メダル払出装置７などの各装置を制御することで、以下のようなスロットマシン遊技を進行させる。
【００２０】
具体的には、遊技者によりメダル投入口２からメダルが投入されると、投入されたメダルはメダルセレクタ２ｂにより検出され、その検出信号が主基板ユニット１０に入力される。また、ベットボタン２ａが操作された場合は、その操作信号が主基板ユニット１０に入力される。主基板ユニット１０は、これらの信号の入力数からゲーム可能なメダル数を監視するとともに、スタートレバー３の操作を監視する。
ゲーム可能なメダル数となったときに、スタートレバー３が操作されると、主基板ユニット１０は、ドラムユニット４を駆動して、各リール４１ａ，４１ｂ，４１ｃを回転させる制御を行う。
【００２１】
さらに、主基板ユニット１０は、スタートレバー３が操作されたときに、複数の抽選対象の中から今回ゲームの当選対象を抽選にて決定する内部抽選を行う。
内部抽選の抽選対象には、ボーナス遊技に移行することになるボーナス役をはじめ、次回ゲームにおいてメダルを掛けることなく遊技可能となるリプレイ（再遊技役）、所定数の入賞メダルが払い出されることになる複数の小役（ベル役、チェリー役、ブドウ役など）、何ら遊技価値の付与されないハズレなどがある。
【００２２】
内部抽選では、これらの抽選対象ごとに予め割り当てられた乱数の当選値と、スタートレバー３の操作のタイミングで所定の乱数カウンタから取得する乱数値とを比較することにより、当該ゲームにおける当選対象（ハズレを含む）を１ゲームごとに決定する。
また、主基板ユニット１０は、各停止ボタン５ａ，５ｂ，５ｃが押下操作されると、この操作タイミングに基づいて、内部抽選で決定された当選対象に応じた図柄の組合せで停止するよう、回転している各リール４１ａ，４１ｂ，４１ｃの停止制御を行う。
【００２３】
また、主基板ユニット１０は、各リール４１ａ，４１ｂ，４１ｃに停止表示される図柄の組合せを判定し、小役に対応する図柄の組合せで停止したものと判定したときには、メダル払出装置７に対して所定数のメダルを払い出す制御を行い、入賞メダルをメダル払出口７ｂから払い出す。
【００２４】
以上のように構成されたスロットマシン１は、従来の電源基板ユニットに集中していた複数の機能を近接して配置される中継基板ユニット１２に移設させるにあたり、スロットマシン１に設置された状態での各ユニット１１，１２の配置関係、及び各ユニット１１，１２における接続部の位置を最適な位置に調整することにより、不正アクセスを困難にするとともに、各ユニット１１，１２におけるケーブル１２４との接続部のみならず、ケーブル１２４をも一体的に覆うことで、各ユニット１１，１２への不正アクセスを阻止するようになっている。
以下、電源基板ユニット１１と、中継基板ユニット１２について詳述する。
【００２５】
［電源基板ユニット］
電源基板ユニット１１は、本発明に係る第二装置の一例であり、図２、図４に示すように、直方体形状のカバー構造（筐体構造）を有し、内蔵する電源基板（不図示）で生成した電源をスロットマシン１内の各部に供給可能に構成されている。
電源基板ユニット１１の正面となる筐体１ｂ開口側には、電源スイッチなどの操作部が配置され、これらはスイッチカバー１１ａで覆われている。
また、電源基板ユニット１１の上面（上方側）には、中継基板ユニット１２との電気的な接続を行うユニット側コネクタ１１１が設けられている。
このユニット側コネクタ１１１は、第二装置側接続部の一例であり、図３、図４（ｂ）に示すように、ケーブル１２４を介して中継基板ユニット１２と接続され、電源基板ユニット１１で生成された電源が、中継基板ユニット１２を介してメダル払出装置７、主基板ユニット１０などに供給される。
また、電源基板ユニット１１は、本実施形態では、筐体１ｂ左側内面及び背面内側に近接するように設置されている。
【００２６】
［中継基板ユニット］
中継基板ユニット１２は、本発明に係る第一装置の一例であり、カバー１２１，１２３で覆われた中継基板１２２を有し、電源基板ユニット１１とケーブル１２４を介して電気的に接続されるとともに電源基板ユニット１１の近傍であって上方に配置され、筐体１ｂ内においては、電源基板ユニット１１と同様、筐体１ｂ左側内面及び背面内側に近接するように配置されている。
【００２７】
中継基板ユニット１２は、上述のように電源基板ユニット１１で生成された電源を中継する電源中継機能のみならず、主基板ユニット１０から伝送される制御信号に基づいてメダル払出装置７に設けられた払出モータの駆動制御を行うドライブ機能（トランジスタ等を備えるドライブ回路）を有している。
さらに、メダル払出装置７の状態を切り替えるスイッチ機能も設けられ、各スイッチ１２２２の切り替え状態に基づいて主基板ユニット１０がメダル払出装置７を制御する。例えば、図５に示すスイッチ１２２２ａは、ボーナス遊技後において遊技の進行を止めるか否かを切り替え可能な打止スイッチであり、スイッチ１２２２ｂは、ボーナス遊技後においてメダル払出装置７から内部的にクレジットされたメダルを払い出すか否かを切り替え可能な自動精算スイッチである。
【００２８】
このようなドライブ機能やスイッチ機能は、従来電源基板ユニットに設けられていたが、機能の分散化にあたり、中継基板ユニット１２に移設させたものである。また、特に図示しないが、従来電源基板ユニットに設けられていた設定変更に係る機能の一部も、主基板ユニット１０に移設してある。
このような機能の分散により、故障箇所の特定が容易になるとともに、故障時には、電源基板ユニット１１又は中継基板ユニット１２のいずれかのみを交換すれば足りることから、メンテナンスコストが低減される。
【００２９】
また、中継基板ユニット１２は、図４に示すように、筐体１ｂ左側内面を取り付け面とし、電源基板ユニット１１と同様、筐体１ｂ左側内面及び背面内側に近接するように配置されているものの、上記のように移設された機能が不正操作により悪用されないように、電源基板ユニット１１の正面よりも奥側に配置されている。
このような配置関係により、手前にある電源基板ユニット１１によって中継基板ユニット１２へのアクセスが妨げられ、中継基板ユニット１２に対する不正アクセスを抑止することができる。
なお、さらにアクセスを困難にするために、中継基板ユニット１２の取り付け面を筐体１ｂ背面内側とすることもできる。
【００３０】
このように配置された中継基板ユニット１２の外装カバーに本発明に係る連続覆い部１２ａが形成され、図４の各図に示すように、ケーブル１２４と、ケーブル１２４と接続される基板側コネクタ１２２１と、ケーブル１２４と接続されるユニット側コネクタ１１１とが、一続きの内部空間に収められながら外部から操作不能に覆われるようになっている。
以下、中継基板ユニット１２の各部について図４〜図８を参照しながら詳述する。
【００３１】
中継基板ユニット１２は、その一面に筐体１ｂ内に向かって膨出する連続覆い部１２ａが形成されるものの、全体としては、電源基板ユニットと同様、直方体形状のカバー構造（筐体構造）を有し、中継基板１２２と、これを間に挟んで収容する透明な合成樹脂で形成された表カバー１２１及び裏カバー１２３とから構成されている。
中継基板１２２は、銅張積層板に所定のエッチング処理を施しプリントパターンを形成したプリント基板１２２ａを基材とし、これに複数の電子部品を実装したもので、例えば、前述のスイッチ１２２２、基板側コネクタ１２２１に加え、コンデンサ、トランジスタなどを電子部品が実装されている。
【００３２】
基板側コネクタ１２２１には、図６に示すように、電源基板ユニット１１とのケーブル１２４を介した電気的な接続を行う基板側コネクタ１２２１ａと、主基板ユニット１０との電気的な接続を行う基板側コネクタ１２２１ｂと、払出装置７との電気的な接続を行う基板側コネクタ１２２１ｃと、図示しないオーバーフロータンクに設けられたメダル貯留量検知センサとの電気的な接続を行う基板側コネクタ１２２１ｄとがある。
【００３３】
基板側コネクタ１２２１ａは、中継基板１２２の下方側、すなわち、ユニット側コネクタ１１１になるべく近い位置に配置されている。
このような配置に加え、図４（ｂ）に示すように、電源基板ユニット１１と中継基板ユニット１２は、上下方向に並んで近接して配置されていることから、基板側コネクタ１２２１ａとユニット側コネクタ１１１とを接近させることができ、ケーブル１２４の長さを極力短くすることができる。
これより、長さが短くなる分、ケーブル１２４に発振器などの不正装置等が取り付けられる可能性を低く抑えることができるとともに、カバー１２１が透明な合成樹脂から形成されているため、カバー１２１外から視認されるケーブル１２４がすっきり見えるので、不正装置等の取り付けの有無を容易に識別できる。
【００３４】
一方、基板側コネクタ１２２１ｂ〜１２２１ｄは、その他の接続部の一例であり、中継基板１２２の右辺側、すなわち、筐体１ｂ内での中継基板ユニット１２の取り付け状態において、筐体１ｂ背面内側に近接する位置に配置されている。
中継基板ユニット１２の右側面には、図７（ｃ）に示すように、基板側コネクタ１２２１ｂ〜１２２１ｄに接続されるケーブルを引き出すために開口された側面開口部１２１９が形成されるものの、このような配置により、側面開口部１２１９からの不正アクセスによるケーブルの脱抜や、中継基板１２２への進入を阻止することができる。
このように構成された中継基板１２２の基板側コネクタ１２２１等の電子部品の実装された部品実装面が表カバー１２１により覆われ、電子部品をプリント基板１２２ａに半田接合する際の半田面が裏カバー１２３により覆われるようになっている。
【００３５】
裏カバー１２３は、中継基板１２２を固定しながらその半田面を覆うとともに、筐体１ｂ側面内側に取り付け可能に形成されている。
具体的には、裏カバー１２３は、図６に示すように、略トレイ形状を有し、透明な合成樹脂（例えば、ポリカーボーネートなど）からなる射出成形品であり、筐体１ｂ左側内面に螺入されるネジ等が貫通可能なネジ孔を有する固定部１２３１ａ〜１２３１ｃ、中継基板１２２を収容可能に凹設された基板固定部１２３２、中継基板１２２の周縁に引掛かり、中継基板１２２を係止可能な固定爪１２３２ａ〜１２３２ｄ、表カバー１２１と凹凸嵌合を行う際の凸部側となる嵌合凸部１２３３、表カバー１２１と相互に係合する際の被係合部側となる被係入孔１２３４などを備えている。
【００３６】
嵌合凸部１２３３は、図６に示すように、頂部１２３３ａを頂点とした四面を有する略角錐状に形成されている。
四面は、表カバー１２１側から見て裏面側に位置し鉛直方向に延びる当接面１２３３ｂと、中継基板１２２の基板面にほぼ直交する方向であって表カバー１２１側（嵌合相手側）に向かって傾斜する第一傾斜面１２３３ｃと、基板面に平行な方向であって筐体１ｂ背面内側に向かって傾斜する第二傾斜面１２３３ｄとからなる。
これらの三面１２３３ｂ〜１２３３ｄが、表カバー１２１に形成された嵌合凹部１２１３と構造的に係わることで、後述する嵌合状態の保持、嵌合状態からの解除が実現されるようになっている。
【００３７】
表カバー１２１は、本発明に係るカバーの一例であり、中継基板１２２の部品実装面全体のみならず、ケーブル１２４と、ケーブル１２４と接続される基板側コネクタ１２２１ａと、ケーブル１２４と接続されるユニット側コネクタ１１１とを被覆可能に形成されている。
具体的には、表カバー１２１は、中継基板１２２側が開口した略箱型形状を有し、透明な合成樹脂（例えば、ポリカーボーネートなど）からなる射出成形品であり、外方に膨出させた部分であって基板側コネクタ１２２１ａのみならず、これに接続されるケーブル１２４及びユニット側コネクタ１１１をも収容可能な一続きの内部空間を有する連続覆い部１２ａ、被係入孔１２３４に係入する係入部１２１１、係入部１２１１（延設部１２１１ａ）の弾性変形を助長させる切欠部１２１２ａ，１２１２ｂ、裏カバー１２３と凹凸嵌合を行う際の凹部側となる嵌合凹部１２１３、スイッチ１２２２ａ，１２２２ｂの操作部をカバー外に臨ませるスイッチ孔１２１４ａ，１２１４ｂ、表カバー１２１内の空気を外気と流通させる通気孔１２１５などを備えている。
【００３８】
連続覆い部１２ａは、表カバー１２１の本体から膨出した覆い部１２１６、覆い部１２１６の下方に位置しユニット側コネクタ１１１を囲む囲い部１２１７、基板側コネクタ１２２１ａとユニット側コネクタ１１１とを連通可能に開口された底面開口部１２１８を備えている。
また、囲い部１２１７は、電源基板ユニット１１上面に近接又は当接し、囲い部１２１７底面と電源基板ユニット１１上面との隙間から、ドライバなどの棒状の工具が挿入できないようになっている。
このような構成により、覆い部１２１６と底面開口部１２１８によりケーブル１２４を間に挟む基板側コネクタ１２２１ａからユニット側コネクタ１１１までに亘る一続きの内部空間を確保しながらこれらを覆うとともに、囲い部１２１７によりユニット側コネクタ１１１の周辺が囲まれることから、これらの電気部品のみならず中継基板１２２が外部から操作不能となり、不正アクセスを阻止することができる。
また、ユニット側コネクタ１１１も連続覆い部１２ａ（囲い部１２１７）により覆われることから、この付近から電源基板ユニット１１の内部へ進入しようとする不正アクセスを阻止することができる。
なお、本実施形態では、ユニット側コネクタ１１１は、その三面が囲い部１２１７で囲まれ、残る一面が筐体１ｂ側面内側で囲まれるようになっているが、四面全てを囲い部１２１７で囲むように形成することもできる。
【００３９】
係入部１２１１は、表カバー１２１の本体側面に沿って延設され、表カバー１２１内方及び外方に向かって弾性変形可能な延設部１２１１ａと、延設部１２１１ａから垂直に外方に突出する鉤部１２１１ｂとを備え、鉤部１２１１ｂが裏カバー１２３の被係入孔１２３４の裏面に引っ掛かることで、カバー１２１，１２３同士が相互に係合する。
なお、弾性係止部１２ｃは、係入部１２１１と被係入孔１２３４とで構成されている。
【００４０】
嵌合凹部１２１３は、角孔として穿設され、中継基板１２２の基板面に平行な一の内面に、当接面１２１３ａが形成されている。この当接面１２１３ａを、嵌合凸部１２３３の当接面１２３３ｂと対向させることで、嵌合凹部１２１３と嵌合凸部１２３３との凹凸嵌合が実現される。
なお、凹凸嵌合部１２ｂは、嵌合凹部１２１３と嵌合凸部１２３３とで構成されている。
【００４１】
このように構成された表カバー１２１と裏カバー１２３は、これらの間に中継基板１２２を挟みながら、以下のように嵌合される。
まず、裏カバー１２３の基板固定部１２３２に中継基板１２２を固定する。これは、中継基板１２２の周縁を固定爪１２３２ａ〜１２３２ｄに引掛けることで実現される。
次いで、鉤部１２１１ｂを被係入孔１２３４の裏面に引掛けた状態とし、ここを支点に表カバー１２１を図６中のａ方向に回動させながら、裏カバー１２３に押し込む。
この押し込み操作により、第一傾斜面１２３３ｃに表カバー１２１の上下方向側面の一部分１２１３ｂが当接するものの、第一傾斜面１２３３ｃは中継基板１２２の基板面にほぼ直交する方向であって表カバー１２１側（嵌合相手側）に向かって傾斜していることから、表カバー１２１の一部分１２１３ｂは、第一傾斜面１２３３ｃに摺接しながら弾性変形により上下方向に押し広げられることになる。そして、さらなる押し込み操作により、一部分１２１３ｂが嵌合凸部１２３３を乗り越えると、弾性変形状態から復元するとともに、嵌合凸部１２３３が嵌合凹部１２１３に嵌り込むことで、嵌合状態となる。この嵌り込む瞬間には、例えば、「カチッ」という嵌合完了を示す嵌合音が鳴るので、嵌合の有無が視認できないような場所（筐体１ｂの奥側）で嵌合を行っても、この嵌合音により嵌合完了を識別できる。
【００４２】
このような嵌合作業は、鉤部１２１１ｂの被係入孔１２３４への係入と、表カバー１２１の裏カバー１２３への押し込み操作のみで完了することから、作業効率が向上する。また、押し込み操作方向に沿って第一傾斜面１２３３ｃを形成することでスムーズに嵌合できる。
そして、この嵌合状態では、当接面１２１３ａと当接面１２３３ｂとが対向するとともに、鉤部１２１１ｂが被係入孔１２３４の裏面に対向するため、図６中ｅ方向の力を表カバー１２１に作用させ、表カバー１２１と裏カバー１２３とを離間させようとしても、嵌合状態が保持されることになる。
【００４３】
また、このような嵌合状態を解除するには、以下のように行われる。
まず、延設部１２１１ａを、内方に（図９（ｃ）中ｂ方向）弾性変形させながら押し込み、鉤部１２１１ｂと被係入孔１２３４との係合状態を解除するとともに、表カバー１２１を裏カバー１２３から引き離す方向（図９（ｃ）中ｃ方向）に力を作用させる。さらに、表カバー１２１を筐体１ｂ開口側に向かって（図６中のｄ方向）引き出すようにスライドさせる。
このスライド操作により、第二傾斜面１２３３ｄに、嵌合凹部１２１３を形成する内側面のうちで中継基板１２２の基板面にほぼ直交する方向に平行な面であって筐体１ｂ背面側に位置する部分１２１３ｃが当接するものの、第二傾斜面１２３３ｃは基板面に平行な方向であって筐体１ｂ背面側に向かって傾斜していることから、表カバー１２１の部分１２１３ｃは、第一傾斜面１２３３ｄに摺接しながら弾性変形により上下方向に押し広げられる。さらなるスライドにより、嵌合凹部１２１３が嵌合凸部１２３３を乗り越え、嵌合凸部１２３３と嵌合凹部１２１３との凹凸嵌合が解除されることになる。
これにより、例えば、マイナスドライバなどの工具を、嵌合凸部１２３３と嵌合凹部１２１３との間に差し込んで、上下の嵌合凹部１２１３を押し広げるなどの煩雑な作業を行うことなく、片手のみで表カバー１２１を取り外すことができ、作業効率が向上する。
【００４４】
このように当接面１２３３ｂと平行に第二傾斜面１２３３ｄを形成することにより、当接面１２３３ｂに係ることのない、当接面１２３３ｂと平行な方向に力を作用させるだけで、表カバー１２１を取り外すことができる。
また、嵌合凸部１２３３に、当接面１２３３ｂと対向する裏面側に押し込み操作方向に沿った第一傾斜面と、当接面１２３３ｂと直交する面にスライド操作方向に沿った第二傾斜面とを形成することにより、単に取り付け時の作業性を向上させるだけではなく、第二傾斜面に沿ったスライド操作により取り外すことができるので、取り外し時の作業性も向上されるようになっている。
【００４５】
また、表カバー１２１は、中継基板ユニット１２外部と中継基板１２２とを連通させる複数の連通孔を有するものの、連通孔から中継基板１２２に至る直線経路を遮蔽するとともに、連通孔から中継基板１２２に至る進入経路を屈折させる壁部１２１０を備えている。
例えば、連通孔として切欠部１２１２、スイッチ孔１２１４、通気孔１２１５が設けられている。これらは、それぞれの機能を発揮するために必要不可欠な孔であるが、ユニット外部から中継基板１２２への進入を許容することになる。そこで、壁部１２１０が、切欠部１２１２、スイッチ孔１２１４、通気孔１２１５から中継基板１２２に至る直線経路を遮蔽するとともに、中継基板１２２に至る進入経路を屈折させ、連通孔からの進入を困難にさせるようになっている。
【００４６】
具体的には、壁部１２１０には、図８に示すように、通気孔１２１５に対向して配置される壁部１２１０ａと、切欠部１２１２に対向して配置される壁部１２１０ｂと、スイッチ孔１２１４の周辺に立設される壁部１２１０ｃとがある。
このような壁部１２１０を設けることで、例えば、図９（ｂ）に示すように、壁部１２１０ａが通気孔１２１５から中継基板１２２に至る直線経路を遮蔽するとともに、中継基板１２２に至る進入経路Ｒ１が屈折されることになる。また、図９（ｃ）に示すように、壁部１２１０ｂが切欠部１２１２から中継基板１２２に至る直線経路を遮蔽するとともに、中継基板１２２に至る進入経路Ｒ２が屈折されることになる。
同様に、スイッチ孔１２１４から中継基板１２２に至る進入経路Ｒ３が屈折されることになる。
このような屈折した進入経路（ラビリンス経路）とすることで、連通孔から棒部材を挿入して中継基板１２２に接触させようとしても、壁部１２１０により阻止されることから、中継基板１２２に対する不正アクセスを排除することができる。
【００４７】
以上説明したように、本実施形態に係る遊技機１によれば、ケーブル接続される電源基板ユニット１１と中継基板ユニット１２において、表カバー１２１がケーブル１２４と各ユニット１１，１２との接続部のみならず、ケーブル１２４をも一体的に覆うことで、各ユニット１１，１２への不正アクセスを阻止するとともに、従来電源基板ユニット１１に集中していた複数の機能を近接して配置される中継基板ユニット１２に移設させるにあたり、遊技機１に取り付けられた状態での各ユニット１１，１２の配置関係、及びユニット側コネクタ１１１、基板側コネクタ１２２１ｂ〜１２２１ｄの位置を最適な位置に調整することにより、不正アクセスを困難にすることができる。
【００４８】
以上、本発明の遊技機１について、好ましい実施形態を示して説明したが、本発明に係る遊技機は、上述した実施形態にのみ限定されるものではなく、本発明の範囲で種々の変更実施が可能であることはいうまでもない。
【００４９】
例えば、本実施形態では、本発明に係るカバーを表カバー１２１としたが、裏カバー１２３とすることもできる。
また、連続覆い部を表カバー１２１のみで形成したが、裏カバー１２３と組合せて形成することもできる。
また、嵌合凸部１２３３を表カバー１２１に形成し、嵌合凹部１２１３を裏カバー１２３に形成することもできる。また、連通孔、壁部１２１０を裏カバー１２３、又は表カバー１２１と裏カバー１２３の両方に設けることもできる。
また、本実施形態では、中継基板ユニット１２を第一装置としたが電源基板ユニット１１を第一装置することもできる。すなわち、電源基板ユニット１１の筐体を本発明に係るカバーとし、これに連続覆い部を形成することもできる。
また、第二装置は、基板（本実施形態では電源基板）を備える装置としたが、基板を有しない装置（例えば、モータ、ソレノイド、センサなどの電気部品）でもよい。
【００５０】
また、第一装置と第二装置の組合せは、本実施形態の組合せに限定されるものではなく、組合せは任意であり、例えば、副基板ユニット９と主基板ユニット１０との組合せでもよく、また、副基板ユニット９が２つに分かれている場合には、副基板ユニット９同士の組み合わせであってもよい。
また、近傍に配置される装置間の距離は、装置同士が接している必要はなく、連続覆い部がその形状を保持しながら、第二装置に向かって延設され、ケーブルと第二装置側接続部とを被覆可能に形成できれば、各装置が離間して配置されていてもよい。
【００５１】
また、第一装置と第二装置を前扉１ａと筐体１ｂにそれぞれ配置し（例えば、ヒンジ付近のヒンジを跨いだ箇所）、前扉１ａが開いた状態では、連続覆い部が第一装置側接続部のみを覆うものの、閉じた状態では、第一装置側接続部のみならず、ケーブルと第二装置側接続部とを覆う構成とすることもできる。
【００５２】
また、カバーは、基板の一部又は全部を覆うように構成されていれば足り、基板ケースなどの収容構造を含む概念である。
【産業上の利用可能性】
【００５３】
本発明は、所定のカバーで覆われた基板を有する第一装置と、第一装置と所定のケーブルを介して電気的に接続される第二装置と、を備える遊技機に適用することができる。
【符号の説明】
【００５４】
１  スロットマシン
２  メダル投入口
３  スタートレバー
４  ドラムユニット
４１  （４１ａ，４１ｂ，４１ｃ）  リール
５  （５ａ，５ｂ，５ｃ）  停止ボタン
６  表示窓
７  メダル払出装置
８  スピーカ
９  副基板ユニット
１０  主基板ユニット
１１  電源基板ユニット
１１１  ユニット側コネクタ
１２  中継基板ユニット
１２ａ  連続覆い部
１２ｂ  凹凸嵌合部
１２ｃ  弾性係止部
１２１  表カバー
１２１０  壁部
１２１７  囲い部
１２１８  底面開口部
１２２  中継基板
１２２１ａ  基板側コネクタ
１２３  裏カバー
１２３３  嵌合凸部
１２３３ｃ  第一傾斜面
１２３３ｄ  第二傾斜面
１２４  ケーブル
【図１】
2014004102.tif 000003
【図２】
2014004102.tif 000004
【図３】
2014004102.tif 000005
【図４】
2014004102.tif 000006
【図５】
2014004102.tif 000007
【図６】
2014004102.tif 000008
【図７】
2014004102.tif 000009
【図８】
2014004102.tif 000010
【図９】
2014004102.tif 000011